(57)【要約】【課題】キートップと、キー基板との間の配線を簡素化する。【解決手段】機能表示部１６０は、機能表示部１６０が表示を行うための画素値を保持する画素メモリ内蔵液晶パネル１６１を備え、キー基板２２は、機能表示部１６０の表示を切り替えるためのデータ信号を出力するための出力端子１１２を備え、キートップ２１は、キートップ２１が押下されていないとき、出力端子１１２とは離間する一方で、キートップ２１が押下されたとき、出力端子１１２と電気的に接続される、データ信号を入力するための入力端子１７２を備え、キー検知部１２０がキー入力を検知したとき、出力端子１１２と電気的に接続されている入力端子１７２にデータ信号を入力して、画素メモリ内蔵液晶パネル１６１のデジタルメモリ素子が保持している画素値を書き換えて機能表示部１６０の表示を切り替えるよう制御する表示切替部１３３を備える。【選択図】図１
2011086057.tif 000002
【特許請求の範囲】
【請求項１】
キー基板と、
上記キー基板に設置されたキートップと、
上記キートップが押下されたとき、キー入力を検知する入力検知手段と、
上記キートップに設けられた、表示を行う表示部と、を備えるキーデバイスにおいて、
上記表示部は、該表示部が表示を行うための画素値を保持する画素値保持手段を備え、
上記キー基板は、上記表示部の表示を切り替えるための表示切替信号を出力するための出力端子を備え、
上記キートップは、該キートップが押下されていないとき、上記出力端子とは離間する一方で、該キートップが押下されたとき、上記出力端子と電気的に接続される、上記表示切替信号を入力するための入力端子を備え、
上記入力検知手段がキー入力を検知したとき、上記出力端子と電気的に接続されている上記入力端子に上記表示切替信号を入力して、上記画素値保持手段が保持している画素値を書き換えて、または、該画素値を反転させて、上記表示部の表示を切り替えるよう制御する表示切替手段を備えることを特徴とするキーデバイス。
【請求項２】
上記入力検知手段が、所定のキー入力を検知したとき、上記キー入力に割り当てられている機能を切り替えるとともに、上記表示切替手段に上記表示部の表示の切替を制御するよう指示する切替指示手段とを備えることを特徴とする請求項１に記載のキーデバイス。
【請求項３】
上記表示切替信号は、上記画素値保持手段が保持している画素値を、上記機能と対応づけられている画像を示す画素値に書き換えるものであることを特徴とする請求項２に記載のキーデバイス。
【請求項４】
上記入力検知手段は、上記キートップが所定時間押下されたことを、上記所定のキー入力として検知することを特徴とする請求項２または３のいずれか１項に記載のキーデバイス。
【請求項５】
上記入力検知手段は、上記キートップが、所定時間内において、所定回数押下されたことを、上記所定のキー入力として検知することを特徴とする請求項２または３のいずれか１項に記載のキーデバイス。
【請求項６】
上記キートップおよび上記キー基板は、それぞれ、キー接点を備え、
上記入力検知手段は、上記キートップが押下されることにより、上記キートップおよび上記キー基板が備えるキー接点どうしが接触したことを、上記キー入力として検知するものであり、
上記入力端子は、上記キートップが備える上記キー接点と共通化されており、
上記出力端子は、上記キー基板が備える上記キー接点と共通化されていることを特徴とする請求項１から５のいずれか１項に記載のキーデバイス。
【請求項７】
上記キー入力には、複数の機能のうちの一の機能を割り当て可能であり、
上記キートップは、上記キー基板に対して垂直な回動軸を有する回動機構を備え、
上記切替指示手段は、上記キー入力に割り当てられている機能を、上記回動機構の回動角度に応じて切り替えることを特徴とする請求項２から５のいずれか１項に記載のキーデバイス。
【請求項８】
上記キー入力には、複数の機能のうちの一の機能を割り当て可能であり、
上記キートップの周囲に、上記キー基板に対して垂直な回動軸について回動可能なダイヤルを設け、
上記キー基板は、上記回動軸を中心に、上記ダイヤルの回動に伴って回動可能な回動機構を備え、
上記切替指示手段は、上記キー入力に割り当てられている機能を、上記回動機構の回動角度に応じて切り替えることを特徴とする請求項２から５のいずれか１項に記載のキーデバイス。
【発明の詳細な説明】
【技術分野】
【０００１】
本発明はキー割り当てられた機能をキートップに表示可能なキーデバイスに関する。
【背景技術】
【０００２】
従来、キーボード等のキーデバイスにおいて、１つの入力キーに、複数の機能を割り当てる技術が知られている。
【０００３】
そして、キートップを備える機構の入力装置において、入力キーに割り当てられている機能をユーザが認識できるように、入力キーに割り当てられている機能を示すシンボルをキートップに表示させる技術が提案されている。
【０００４】
例えば、特許文献１〜４には、概して、「かな」、「英数」等の複数の入力モードを切り替えることができる入力装置において、現在、入力キーに割り当てられているモードを示すシンボル画像を、キートップに設けた表示部に表示する技術が開示されている。
【０００５】
特に、特許文献１には、キートップに設ける表示部として液晶表示素子を採用することにより、多様なシンボル画像の表示に対応したキーボード装置が開示されている。
【先行技術文献】
【特許文献】
【０００６】
【特許文献１】実開平５−５２９２３（１９９３年７月１３日公開）
【特許文献２】特開昭６２−８０７２２（１９８７年４月１４日公開）
【特許文献３】特開昭５８−１０６６２５（１９８３年６月２５日公開）
【特許文献４】実開昭５６−１６１７４０（１９８１年１２月２日公開）
【発明の概要】
【発明が解決しようとする課題】
【０００７】
しかしながら、一般的に、液晶表示素子は、液晶表示素子における表示を行うには、液晶を駆動させるための電源を供給するほか、所定間隔でデータ信号を入力して、表示内容のリフレッシュを行う必要がある。
【０００８】
このため、従来の入力装置では、入力キーに割り当てられている機能に変更が無くても、所定間隔で表示内容のリフレッシュを行うためのデータ信号を表示部に入力する必要があった。また、消費電力も大きかった。
【０００９】
また、表示部が設けられたキートップと、表示部の制御を行う入力装置本体との間に、電源供給線およびデータ信号線を設ける必要があった。また、データ信号線は、多数設ける必要があるので、入力装置の回路構成が複雑になる傾向があった。そして、キートップが繰り返し押下されることにより、キートップと、入力装置本体との間を接続するデータ信号線が劣化して、信頼性が低下するおそれがあった。さらには、このように配線することにより、キーのストローク感が硬くなってしまい操作感を損なうおそれがあった。
【００１０】
本発明は、上記の問題点に鑑みてなされたものであり、その目的は、キートップに表示部を備えるキーデバイスにおいて、キートップと、キー基板との間の配線を簡素化することができる入力装置を提供することにある。
【課題を解決するための手段】
【００１１】
上記の課題を解決するために、本発明に係るキーデバイスは、キー基板と、上記キー基板に設置されたキートップと、上記キートップが押下されたとき、キー入力を検知する入力検知手段と、上記キートップに設けられた、表示を行う表示部と、を備えるキーデバイスにおいて、上記表示部は、該表示部が表示を行うための画素値を保持する画素値保持手段を備え、上記キー基板は、上記表示部の表示を切り替えるための表示切替信号を出力するための出力端子を備え、上記キートップは、該キートップが押下されていないとき、上記出力端子とは離間する一方で、該キートップが押下されたとき、上記出力端子と電気的に接続される、上記表示切替信号を入力するための入力端子を備え、上記入力検知手段がキー入力を検知したとき、上記出力端子と電気的に接続されている上記入力端子に上記表示切替信号を入力して、上記画素値保持手段が保持している画素値を書き換えて、または、該画素値を反転させて、上記表示部の表示を切り替えるよう制御する表示切替手段を備えることを特徴とする。
【００１２】
上記構成によれば、上記表示部の画素値保持手段が、上記表示部が表示を行うための画素値を保持する。
【００１３】
ここで、上記表示切替信号をキー基板からキートップの表示部へ入力するための入力端子は、上記キートップが押下されていないとき、キー基板の出力端子とは離間する一方で、該キートップが押下されたとき、上記出力端子と電気的に接続される。
【００１４】
つまり、キートップが押下されれば、キー入力が検知されるとともに、上記入力端子と、上記出力端子と電気的に接続された状態となる。そして、このとき、上記入力端子に上記表示切替信号を入力することができる。
【００１５】
この結果、上記画素値保持手段が保持している画素値を書き換えて、または、該画素値を反転させて上記表示部の表示を切り替えることができる。
【００１６】
従って、キートップが押下されれば、表示部の表示を切り替えることができ、かつキートップが押下されていない状態において、キートップと、キー基板とを、表示部の表示をリフレッシュするための配線によって接続しておかなくても済む。
【００１７】
これにより、キートップと、キー基板との間の配線を簡素化することができるとともに、信頼性が向上させることができる。さらには、リフレッシュのための電力消費を低減できるという効果を奏することができる。
【００１８】
また、本発明に係るキーデバイスでは、上記入力検知手段が、所定のキー入力を検知したとき、上記キー入力に割り当てられている機能を切り替えるとともに、上記表示切替手段に上記表示部の表示の切替を制御するよう指示する切替指示手段とを備えることが好ましい。
【００１９】
上記構成によれば、所定のキー入力により、キー入力に割り当てられている機能を切り替えるとともに、表示部の表示を切り替えることができる。
【００２０】
所定のキー入力とは、例えば、上記キー入力に割り当てられている機能を切り替えるべきことを示すキー入力である。
【００２１】
これにより、切り替え後の機能を示す表示を行ったり、キー入力に割り当てられている機能が切り替わったことをユーザに提示したりすることができるという効果を奏する。
【００２２】
また、本発明に係るキーデバイスでは、上記表示切替信号は、上記画素値保持手段が保持している画素値を、上記機能と対応づけられている画像を示す画素値に書き換えるものであることが好ましい。
【００２３】
上記構成によれば、表示部に表示される画像が、該機能と対応づけられている画像に切り替わる。つまり、キー入力に対して割り当てられている機能が切り替わっても、切り替え後の機能を示す画像を表示することができる。
【００２４】
この結果、切り替え後の機能が何であるかを、機能と対応づけられている画像を表示することによってユーザに提示することができるという効果を奏する。
【００２５】
また、本発明に係るキーデバイスでは、上記入力検知手段は、上記キートップが所定時間押下されたことを、上記所定のキー入力として検知することが好ましい。
【００２６】
上記構成によれば、キートップが所定時間押下されることにより、上記キー入力に割り当てられている機能の切り替えを実施することができる。また、キートップが所定時間押下されていないときは、キー入力に割り当てられている機能を実行するといった制御を行うこともできる。
【００２７】
また、本発明に係るキーデバイスでは、上記入力検知手段は、上記キートップが、所定時間内において、所定回数押下されたことを、上記所定のキー入力として検知することが好ましい。
【００２８】
上記構成によれば、キートップが、所定時間内において、所定回数押下されることにより、上記キー入力に割り当てられている機能の切り替えを実施することができる。また、キートップが、所定時間内において、所定回数押下されていない場合は、キー入力に割り当てられている機能を実行するといった制御を行うこともできる。
【００２９】
また、本発明に係るキーデバイスでは、上記キートップおよび上記キー基板は、それぞれ、キー接点を備え、上記入力検知手段は、上記キートップが押下されることにより、上記キートップおよび上記キー基板が備えるキー接点どうしが接触したことを、上記キー入力として検知するものであり、上記入力端子は、上記キートップが備える上記キー接点と共通化されており、上記出力端子は、上記キー基板が備える上記キー接点と共通化されていることが好ましい。
【００３０】
上記構成によれば、入力端子・出力端子と、キー接点とが共通化されているので、キーデバイスにおける、回路を簡素化することができる。なお、入力端子・出力端子と、キー接点とを共通化するとは、例えば、入力端子・出力端子の組の一部または全部を、キー接点とすることであり、入力端子が出力端子と接触したことを、キー入力として検知することを指す。
【００３１】
また、本発明に係るキーデバイスでは、上記キー入力には、複数の機能のうちの一の機能を割り当て可能であり、上記キートップは、上記キー基板に対して垂直な回動軸を有する回動機構を備え、上記切替指示手段は、上記キー入力に割り当てられている機能を、上記回転機構の回動角度に応じて切り替えることが好ましい。
【００３２】
上記構成によれば、回動機構の回動に応じて、キー入力に割り当てられている機能を切り替えることができるので、上記キー入力に割り当てられている機能を、ユーザの所望の機能に迅速に切り替えることができるという効果を奏する。
【００３３】
また、本発明に係るキーデバイスでは、上記キー入力には、複数の機能のうちの一の機能を割り当て可能であり、上記キートップの周囲に、上記キー基板に対して垂直な回動軸について回動可能なダイヤルを設け、上記キー基板は、上記回動軸を中心に、上記ダイヤルの回動に伴って回動可能な回動機構を備え、上記切替指示手段は、上記キー入力に割り当てられている機能を、上記回動機構の回動角度に応じて切り替えることが好ましい。
【００３４】
上記構成によれば、キートップの周囲を回動可能なダイヤルにより、キー基板を回動させることができ、該キー基板の回動に応じて、キー入力に割り当てられている機能を切り替えることができる。これにより、上記キー入力に割り当てられている機能を、ユーザの所望の機能に迅速に切り替えることができるという効果を奏する。
【発明の効果】
【００３５】
本発明に係るキーデバイスは、表示部が、該表示部が表示を行うための画素値を保持する画素値保持手段を備え、キー基板が、上記表示部の表示を切り替えるための表示切替信号を出力するための出力端子を備え、キートップが、該キートップが押下されていないとき、上記出力端子とは離間する一方で、該キートップが押下されたとき、上記出力端子と電気的に接続される、上記表示切替信号を入力するための入力端子を備え、入力検知手段がキー入力を検知したとき、上記出力端子と電気的に接続されている上記入力端子に上記表示切替信号を入力して、上記画素値保持手段が保持している画素値を書き換えて、または、該画素値を反転させて、上記表示部の表示を切り替えるよう制御する表示切替手段を備える構成である。
【００３６】
よって、上記画素値保持手段が保持している画素値を書き換えて、または、該画素値を反転させて上記表示部の表示を切り替えることができる。
【００３７】
そして、キートップが押下されれば、表示部の表示を切り替えることができ、かつキートップが押下されていない状態において、キートップと、キー基板とを、表示部の表示をリフレッシュするための配線によって接続しておかなくても済む。
【００３８】
これにより、キートップと、キー基板との間の配線を簡素化することができるとともに、信頼性が向上させることができるという効果を奏することができる。さらには、リフレッシュのための電力消費を低減できる。
【図面の簡単な説明】
【００３９】
【図１】本発明の一実施形態に係るキーデバイスの概略構成について示したブロック図である。
【図２】画素メモリ内蔵液晶パネルの構成例を示す回路図である。
【図３】走査信号線に走査信号が入力されることによって、データ信号線に入力されたデータ信号がデジタルメモリ素子にラッチされたときの、走査信号と、デジタルメモリ素子の出力電圧との関係を示す図である。
【図４】（ａ）および（ｂ）は、いずれも、デジタルメモリ素子の出力電圧と、液晶セルに印加される電圧との関係の一例を示す図である。
【図５】本発明の一実施形態に係るキーデバイスの外観の一例について示した図である。
【図６】キートップが押下されていないときの、キーデバイスの構造を示す側面図である。
【図７】キートップが押下されているときの、キーデバイスの構造を示す側面図である。
【図８】本発明に係るキーデバイス１が組み込まれた携帯端末機の概略構成を示すブロック図である。
【図９】（ａ）および（ｂ）は、それぞれ、表示データ記憶部が記憶する画像データの具体例について示す図である。
【図１０】機能表示部における画像データの表示について例示する図であり、（ａ）は、機能表示部において、インターネットブラウザアプリケーションを示す画像データを表示している状態を示し、（ｂ）は、機能表示部において、電子メールアプリケーションを示す画像データを表示している状態を示している。
【図１１】（ａ）および（ｂ）は、それぞれ、表示データ記憶部が記憶する画像データの別の例について示す図である。
【図１２】キートップの機能表示部の構成例の一形態を示す上面図である。
【図１３】キートップの入力端子の構成例の一形態を示す図である。
【図１４】キー基板の出力端子の構成例を示す上面図である。
【図１５】キートップの機能表示部の構成例の別の形態を示す上面図である。
【図１６】キートップの入力端子の構成例の別の形態を示す図である。
【図１７】キートップの機能表示部の一構成例の一形態について示す上面図である。
【図１８】キートップの機能表示部の一構成例の別の形態について示す上面図である。
【図１９】キーデバイスの構造について示した模式的断面図である。
【図２０】画素メモリ内蔵液晶パネルと、端子部との間の配線の構成例について示す配線図である。
【図２１】図２０に示す画素メモリ内蔵液晶パネルの動作信号を示すタイミングチャートである。
【図２２】本発明の他の実施形態に係るキーデバイスの概略構成について示したブロック図である。
【図２３】画素メモリ内蔵液晶パネルの別の構成例を示す回路図である。
【図２４】機能表示部に表示する画像データの一例を示す図であり、（ａ）は、スイッチがＯＦＦである状態の表示を示し、（ｂ）は、スイッチがＯＮである状態の表示を示す。
【図２５】画素メモリ内蔵液晶パネルの他の構成例を示す回路図である。
【発明を実施するための形態】
【００４０】
〔実施形態１〕
本発明に係るキーデバイスの一実施形態について図１〜図２１に基づいて説明すれば以下のとおりである。本実施形態では、本発明に係るキーデバイスが、携帯端末機に組み込まれた場合について説明する。
【００４１】
（携帯端末機の概要）
まず、図５、図８および図９を用いて、本発明に係るキーデバイス、および、該キーデバイスが組み込まれた携帯端末機１０の概要について説明する。
【００４２】
まず、図５を用いて、キーデバイスが組み込まれた携帯端末機１０の外観について、概略的に説明する。図５は、本発明に係るキーデバイスの外観の一例について示した図である。
【００４３】
図５に示すように、携帯端末機１０は、ユーザからの各種操作を受け付けるための操作部２０と、各種表示を行うための表示部３０とを含む構成である。操作部２０には、キーデバイスの構成のうちの一つである機能表示部（表示部）１６０が設けられている。
【００４４】
キーデバイスは、ストロークが設けられたキートップによって入力操作を行うための装置であり、携帯端末機１０において実行可能な各種機能を割り当てることができる。
【００４５】
キートップが押下されることにより、キーデバイスにおいて、入力操作が検知されて、これによりキーデバイスによる入力操作に割り当てられている機能が、携帯端末機１０において実行される。以下、この入力操作のことを、キー入力と称する。
【００４６】
機能表示部１６０は、キーデバイスにおけるキー入力に割り当てられている機能を示す画像を表示する。
【００４７】
なお、キーデバイスにおけるキー入力に割り当てられている機能は、切り替えることができる。キー入力に割り当てられている機能が切り替えられると、これに伴い機能表示部１６０に表示されている画像も切り替わる。
【００４８】
これにより、キーデバイスに割り当てられているアプリケーションが何に切り替わったのかをユーザに提示することができる。
【００４９】
ここで、図６および図７を用いて、キーデバイス１の側面の構造について、概略的に説明すると次のとおりである。図６は、キートップ２１が押下されていないときの、キーデバイス１の構造を示す側面図である。また、図７は、キートップ２１が押下されているときの、キーデバイス１の構造を示す側面図である。
【００５０】
図６に示すように、キーデバイス１は、概して、キートップ２１と、キー基板２２とによって構成されており、ストロークを確保するために、キートップ２１と、キー基板２２とは、離間して設けられる。ユーザは、キートップ２１を押下して、キー基板２２に接触させることによりキー入力を行う。
【００５１】
一方、キートップ２１を押下すると、図７に示すように、キートップ２１と、キー基板２２とが接触する。これにより、キーデバイス１におけるキー入力が検知される。
【００５２】
本発明に係るキーデバイス２１によれば、キートップ２１が押下されれば、機能表示部１６０の表示を切り替えることができ、かつキートップ２１が押下されていない状態において、キートップ２１と、キー基板２２とを、機能表示部１６０の表示をリフレッシュするための配線によって接続しておかなくても済む。
【００５３】
以下の説明は、このようなキーデバイス２１の詳細について説明する。
【００５４】
そこで、まず、キーデバイス１が、該キーデバイス１に割り当てられているアプリケーションを表示する機能について説明する。当該機能は、画素メモリ内蔵液晶パネルを応用したものである。以下、この画素メモリ内蔵液晶パネルについて、図２から４に基づいて説明する。
【００５５】
（画素メモリ内蔵液晶パネルの構成）
画素メモリ内蔵液晶パネル（画素値保持手段）１６１は、画素毎に設けられたデジタルメモリ素子の出力電圧を保持することによって、データ信号線および走査信号線への信号を停止しても、画像を表示し続けることができる液晶パネルである。
【００５６】
図２を参照しながら、画素メモリ内蔵液晶パネル１６１の構成例について説明する。図２は、画素メモリ内蔵液晶パネル１６１の構成例を示す回路図である。
【００５７】
画素メモリ内蔵液晶パネル１６１は、同図に示すように、画素毎に、画素部スイッチ素子（ＭＯＳ  ＦＥＴ）６１１と、デジタルメモリ素子（インバータ回路）６１２および６１３と、液晶セル（液晶容量）６１４と、付加回路（エクスクルーシブＮＯＲ回路）６１５とを備えている。なお、デジタルメモリ素子６１２および６１３を総称して、デジタルメモリ素子（画素値保持手段）６１８と称する。
【００５８】
さらに、画素メモリ内蔵液晶パネル１６１は、同図に示すように、各画素の液晶セル６１４を交流で駆動させるための交流駆動用クロック６１６および共通電極端子（ＣＯＭ）６１７を備えている。
【００５９】
そして、画素部スイッチ素子６１１のゲート端子は、走査信号線ｘｉ（ｉ＝１、２、…、ｎ；ｎは正の整数を示す）に接続されており、また、画素部スイッチ素子６１１のソース端子は、データ信号線ｙｉ（ｉ＝１、２、…、ｍ；ｍは正の整数を示す）に接続されている。
【００６０】
上記構成により、走査信号線ｘｉに走査信号が入力されることによって、データ信号線ｙｉに入力されるデータ信号が、デジタルメモリ素子６１８にラッチされるとともに、該ラッチされたデータ信号（画素値）が、付加回路６１５を介して、液晶セル６１４に書き込まれる。
【００６１】
そして、デジタルメモリ素子６１８へ入力される信号が変化しない間は、デジタルメモリ素子６１８の出力電圧は、前の状態を保持するようになっている。したがって、データ信号線ｙｉおよび走査信号線ｘｉへの信号の入力を停止しても、デジタルメモリ素子６１８の出力電圧は保持されるので、画素メモリ内蔵液晶パネル１６１は、画像を表示し続けることができる。
【００６２】
なお、画素メモリ内蔵液晶パネル１６１は、走査信号を入力する走査信号線を指定することによって、該指定した走査信号線が接続している画素群にのみ、画像を表示させることも可能であるし、また、データ信号を入力するデータ信号線を指定することによって、該指定したデータ信号線が接続している画素群にのみ、画像を表示させることも可能である。
【００６３】
次に、図３を参照しながら、走査信号線ｘｉに走査信号が入力されることによって、データ信号線ｙｉに入力されたデータ信号がデジタルメモリ素子６１８にラッチされたときの、走査信号とデジタルメモリ素子６１８の出力電圧ＥＰ１との関係について説明する。
【００６４】
図３は、走査信号線ｘｉに走査信号が入力されることによって、データ信号線ｙｉに入力されたデータ信号がデジタルメモリ素子６１８にラッチされたときの、走査信号と、デジタルメモリ素子６１８の出力電圧ＥＰ１との関係を示す図である。
【００６５】
データ信号線ｙｉにＨｉｇｈレベル（Ｖ）のデータ信号が入力されている状態において、走査信号線ｘｉにＬｏｗレベル（０）の走査信号が入力されると、デジタルメモリ素子６１８の出力電圧がＨｉｇｈレベルとなる。そして、走査信号がＨｉｇｈレベルに変化するタイミングで、デジタルメモリ素子６１８の出力電圧はＨｉｇｈレベルに固定される。そして、次に走査信号がＬｏｗレベルになるまで、デジタルメモリ素子６１８の出力電圧は保持される。
【００６６】
このように、デジタルメモリ素子６１８は、走査信号線ｘｉの走査信号がＬｏｗレベルになるまで、前の出力電圧を保持する。
【００６７】
次に、図４（ａ）および（ｂ）を参照しながら、デジタルメモリ素子６１８の出力電圧と、液晶セル６１４に印加される電圧との関係について説明する。図４（ａ）および（ｂ）は、いずれも、デジタルメモリ素子６１８の出力電圧と、液晶セル６１４に印加される電圧との関係の一例を示す図である。
【００６８】
デジタルメモリ素子の出力電圧がＨｉｇｈレベルのとき，交流駆動用クロック６１６の出力電圧ＥＰ２に対して、反転した出力電圧ＥＰ３が、付加回路６１５の出力電圧として得られる。したがって、液晶セル６１４には、交流駆動用クロック６１６の出力電圧ＥＰ２と付加回路６１５の出力電圧ＥＰ３との差分である電圧ＥＰ４が印加される（図４（ａ）参照）。
【００６９】
一方、デジタルメモリ素子６１８の出力がＬｏｗレベルのとき，交流駆動用クロック６１６の出力電圧ＥＰ２と同相の電圧ＥＰ５が、付加回路６１５の出力電圧として得られる。この場合、交流駆動用クロック６１６の出力電圧ＥＰ２と付加回路６１５の出力電圧ＥＰ５との差分であるＥＰ６は、常にＬｏｗレベルとなる（図４（ｂ）参照）。したがって、液晶セル６１４には、電圧が印加されない。
【００７０】
以上のように、画素メモリ内蔵液晶パネル１６１では、データを静止画像として継続して表示する場合、画素部スイッチ素子６１１、並びに、デジタルメモリ素子６１８をスイッチングさせる必要がない。そのため、画素メモリ内蔵液晶パネル１６１では、低消費電力化を実現することができる。
【００７１】
（携帯端末機の概略構成）
次に、図８を用いて、本発明に係るキーデバイス１が組み込まれた携帯端末機１０の概略構成について説明する。図８は、本発明に係るキーデバイス１が組み込まれた携帯端末機１０の概略構成を示すブロック図である。
【００７２】
図８に示すように、携帯端末機１０は、操作部２０、表示部３０、通信部４０、音声出力部５０、音声入力部６０、記憶部７０、制御部８０、およびカメラ部９０を備える構成である。そして、上記構成のうち、操作部２０、制御部８０、記憶部７０のそれぞれは、キーデバイス１の構成の一部となっている。キーデバイス１の詳細については後述する。
【００７３】
操作部２０は、各種操作を受け付けるためのキーを備える。操作部２０には、操作を受け付けるためのキーの一つとして、キーデバイス１が組み込まれている。
【００７４】
より具体的には、キーデバイス１は、操作部２０において、操作を受け付けるためのキーとして、キートップ２１と、キー基板２２とを備える。キートップ２１は、キートップ２１に割り当てられている機能を提示するための機能表示部１６０を備える。
【００７５】
なお、操作部２０は、キーデバイス１以外にも、キートップ２１、キー基板２２以外にも、数字を入力するためのテンキーや、文字入力のためのキー、十字キーなどのキーを備えていてもよい。
【００７６】
表示部３０は、制御部８０から、画像データを受信し、受信した画像データに基づいて表示画像に画像を表示するものである。具体的には、表示部３０は、例えば、ＬＣＤ（Liquid Crystal Display）や有機ＥＬ（Electro Luminescence）ディスプレイなどを採用することができる。
【００７７】
通信部４０は、各種ネットワークに接続して、通信を行うためのものである。より具体的には、通信部４０は、制御部８０から受信したデータを、利用するネットワークの通信方式に適した形式に変換し、変換した無線信号をアンテナ等を介して外部に送信する。
【００７８】
また、通信部４０は、外部からアンテナ等を介して受信した無線信号を元の形式に変換し、変換したデータを制御部８０に送信する。
【００７９】
音声出力部５０は、制御部８０からの音声信号を音波に変換して外部に出力するものである。より具体的には、音声出力部５０は、例えば、レシーバ、スピーカ、音声出力用コネクタなどを備える構成である。
【００８０】
音声入力部６０は、外部から入力された音波を、電気信号である音声信号に変換して制御部８０に送信するものである。例示的には、音声入力部６０はマイクロホンを備える構成である。
【００８１】
記憶部７０は、各種データおよびプログラムを記憶するものである。記憶部７０の構成としては、例えば、書換え可能な不揮発性の半導体メモリ（例えばフラッシュメモリ）と、制御部８０が動作するときに必要なプログラムや、各種制御に用いる固定データを記憶する読出し専用の半導体メモリであるＲＯＭ（Read Only Memory）と、通信に関するデータ、演算に使用するデータ、および演算結果などを一時的に記憶する、いわゆるワーキングメモリとしてのＲＡＭとが挙げられる。なお、記憶部７０の詳細については後述する。
【００８２】
制御部８０は、携帯端末機１０における各種構成を制御部８０の機能は、例えばＲＡＭ（Random Access Memory）やフラッシュメモリなどの記憶素子に記憶されたプログラムをＣＰＵ（Central Processing Unit）が実行することによって実現される。制御部８０の詳細については後述する。
【００８３】
カメラ部９０は、撮像素子によって、被写体を撮影し、画像データを生成するためのものである。撮像素子としては、例えば、ＣＣＤ（Charge Coupled Device）や、ＣＭＯＳ（complementary metal-oxide semiconductor）採用することができる。
【００８４】
また、カメラ部９０は、様々な条件設定により撮影を行う機能を提供する。カメラ部９０は、例示的に、「シャッタースピード（ＳＳ）」と、「絞り」との設定を調節して撮影を行う機能を提供しているものとする。
【００８５】
（キーデバイスの概要）
続いて、図１を用いて、キーデバイス１の概要について説明する。図１は、キーデバイス１の概略構成について示したブロック図である。
【００８６】
前述のとおり、キーデバイス１は、キートップ２１、キー基板２２、記憶部７０、および制御部８０を含む構成である。
【００８７】
キートップ２１は、ユーザが押下して、キー入力を行うものである。キートップ２１は、キー基板２２に対してストロークを設けて取り付けられている。
【００８８】
キー基板２２と、キートップ２１との間は、電力供給のための電力線で接続されている。また、キートップ２１が押下された状態のとき、キー基板２２から、キートップ２１に対しデータ信号（表示切替信号）が送出できるように構成されている。
【００８９】
キー基板２２は、キートップ２１が押下されることにより、キー基板２２と、キートップ２１とが接触すると、キー入力信号を生成して、制御部８０に出力する。
【００９０】
制御部８０は、キー基板２２から出力されたキー入力信号を受信して、キーデバイス１におけるキー入力を検知することができる。
【００９１】
そして、制御部８０は、キーの入力を検知すると、該キーに割り当てられている機能を実行する。記憶部７０は、キーデバイス１の各種設定を記憶している。記憶部７０は、例えば、キー入力と、該キー入力に割り当てられている機能との対応付けを設定パラメータとして記憶している。キー入力に割り当てられている機能を変更する場合には、この設定パラメータを書き換えればよい。また、記憶部７０は、キー入力に割り当てられている機能に対応付けられている画像データを記憶している。
【００９２】
以下、図１を参照しながら、キーデバイス１が備えるキートップ２１、キー基板２２、記憶部７０、および制御部８０の各構成の詳細について説明していく。
【００９３】
（キートップの詳細構成について）
まず、キートップ２１の詳細について説明すると次の通りである。キートップ２１は、詳細には、機能表示部１６０に加えて、端子部１７０を備える。
【００９４】
端子部１７０は、キー接点部（キー接点）１７１および入力端子１７２を備える構成である。
【００９５】
入力端子１７２は、キー基板２２から出力されるデータ信号を入力するためのものである。
【００９６】
キー接点部１７１は、キー接点部１１１と対となり、キートップ２１が押下されたときに、キー基板２２に設けられているキー接点部１１１と接触するように構成されている。キー接点部１７１が、キー接点部１１１と接触することにより、キー基板２２において、キー入力信号が生成される。
【００９７】
また、機能表示部１６０は、キー基板２２に設けられている電源供給部１９０と、電力線１９１によって接続されている。機能表示部１６０は、電力線１９１により、電源供給部１９０から画素メモリ内蔵液晶パネル１６１の駆動に必要な電力の供給を受ける。
【００９８】
なお、機能表示部１６０への電力供給の手法に制限はなく、有線・無線問わず、公知の技術を用いることができる。例えば、電磁誘導や、マイクロ波による電源供給も適用可能である。
【００９９】
（キー基板の詳細構成について）
続いて、キー基板２２の詳細について説明すると次の通りである。キー基板２２は、端子部１１０と、電源供給部１９０とを備える。
【０１００】
端子部１１０は、キー接点部（キー接点）１１１と、出力端子１１２とを備える構成である。出力端子１１２は、キートップ２１が備える入力端子１７２に対してデータ信号を入力するためのものである。
【０１０１】
キー接点部１１１は、キー接点部１７１と対となり、キートップ２１が押下されたことを検知するためのものである。上述のとおり、キー接点部１１１と、キー接点部１７１とが、接触することにより、キー基板２２において、キー入力信号が生成される。
【０１０２】
なお、キートップ２１と、キー基板２２とが構成するキー構造は、シングルキータイプであっても、メンブレン接点を使用した一体型タイプ（メンブレンスイッチタイプ）であってもよく、公知の技術を採用することができる。また、キー入力を検知する技術についても、公知の技術を適宜採用することができる。
【０１０３】
電源供給部１９０は、機能表示部１６０と接続されている電力線１９１を介して、画素メモリ内蔵液晶パネル１６１に、駆動電力を供給するためのものである。
【０１０４】
ここで、再び図６および図７を参照しながら、キートップ２１と、キー基板２２との関係について、より詳しく説明すると次の通りである。
【０１０５】
図６に示すように、キートップ２１は、側面からみると、略台形をしている。キートップ２１の上面には、機能表示部１６０が設けられている。なお、図６では、キートップ２１の上面に、機能表示部１６０を設ける構成としているが、機能表示部１６０は、台形の側面に設けられてもよい。
【０１０６】
図６に示すように、出力端子１１２は、キートップ２１が押下されていないとき、入力端子１７２とは離間する。このとき、同様に、キー接点部１１１と、キー接点部１７１とは、離間する。
【０１０７】
その一方で、図６に示すようにキートップ２１と、キー基板２２とが離間した状態において、ユーザによって、キートップ２１が押し下げられると、図７に示すようにキートップ２１と、キー基板２２が接触した状態になる。
【０１０８】
出力端子１１２は、キートップ２１が押下されたときには、入力端子１７２と接触し短絡される。このとき、同様に、キー接点部１１１と、キー接点部１７１とは接触する。
【０１０９】
このとき、キートップ２１に設けられているキー接点部１７１と、キー基板２２上に設けられているキー接点部１１１とが接触し、導通して、キー基板２２において、キー入力信号が生成される。そして、生成されたキー入力信号が、キー基板２２から制御部８０に出力される。
【０１１０】
（記憶部の詳細構成について）
続いて、記憶部７０の詳細について説明すると次のとおりである。記憶部７０は、機能設定記憶部７１と、機能テーブル７２と、表示データ記憶部７３とを備える。
【０１１１】
機能設定記憶部７１は、キーデバイス１におけるキー入力に割り当てることのできる複数の機能のうち、キーデバイス１におけるキー入力に割り当てられている機能を特定する機能設定情報を記憶するものである。機能を特定するための情報とは、例えば、制御部８０が実行可能なプログラムを格納したファイル名、あるいは、そのファイルが格納されているファイルパス名などのことである。
【０１１２】
機能テーブル７２は、キーデバイス１におけるキー入力に対して割り当て可能な機能と、該機能を示すための画像データとの対応関係について記憶するものである。例えば、機能テーブル７２には、機能を特定するための情報と、画像データを特定するための情報との対応関係について記憶しておくことができる。
【０１１３】
画像データを特定するための情報とは、例えば、画像データを格納しているファイル名などのことである。
【０１１４】
表示データ記憶部７３は、各種機能を示すための画像データを記憶するものである。ここで、図９を用いて、表示データ記憶部７３が記憶する画像データの具体例について説明する。図９の（ａ）および（ｂ）は、それぞれ、表示データ記憶部７３が記憶する画像データの具体例について示す図である。
【０１１５】
図９の（ａ）に示す画像データ７３１は、インターネットブラウザアプリケーションを示すアイコン画像であり、図９の（ｂ）に示す画像データ７３２は、電子メールアプリケーションを示すアイコン画像である。これらのアイコン画像は、一例として、１２８×１２８のサイズで記憶しておくものとしている。また、アイコン画像の画像形式には、ビットマップ、ｊｐｅｇ（Joint Photographic Experts Group）、ｐｎｇ（Portable Network Graphics）をはじめとして、各種の画像形式を用いることができる。
【０１１６】
また、機能テーブル７２において、画像データ７３１はインターネットブラウザアプリケーションに対応付けられており、画像データ７３２は、電子メールアプリケーションに対応付けられている。
【０１１７】
表示データ記憶部７３に記憶される画像データは、キートップ２１に設けられた機能表示部１６０に表示するために用いられる。キーデバイス１は、機能表示部１６０に画像データを表示することにより、キーデバイス１におけるキー入力に割り当てられている機能を、ユーザに提示する。その動作詳細については、後述する。
【０１１８】
（制御部の詳細構成について）
続いて、制御部８０の詳細について説明すると次のとおりである。制御部８０は、キー検知部（入力検知手段）１２０と、機能・表示切替部（表示切替手段、切替指示手段）１３０と、機能実行部１４０とを備える。
【０１１９】
キー検知部１２０は、キー基板２２が出力したキー入力信号を検知することにより、キーデバイス１におけるキー入力を検知するものである。
【０１２０】
キー検知部１２０は、キー入力に割り当てられている機能を切り替えるべきことを示す切替イベントを検知するための切替イベント検知部１２１を備えている。
【０１２１】
切替イベント検知部１２１は、キーデバイス１におけるキー入力に割り当てられている機能を変更すべきことを示す切替イベントを検知するものである。
【０１２２】
切替イベントは、キートップ２１のキー接点部１７１およびキー基板２２のキー接点部１１１の接触動作に関連して発生する。
【０１２３】
切替イベントについて、具体的に例示すると、キートップ２１のキー接点部１７１およびキー基板２２のキー接点部１１１が、所定時間以上接触していること、あるいは、キー接点部１７１およびキー接点部１１１が、所定時間内に、所定回数接触したことなどが挙げられる。
【０１２４】
所定時間以上接触していることとは、いわゆるキーの長押しのことである。所定時間以上、各接点部が接触していれば、キー長押しによる切替イベントが発生する。
【０１２５】
各接点部が、所定時間内に、所定回数接触したこととは、例えば、ダブルクリックのような操作のことである。すなわち、所定時間内に、２回の接触があれば、ダブルクリックによる切替イベントが発生する。
【０１２６】
キー検知部１２０は、キートップ２１が押下されることにより、キー基板２２からキー入力信号が出力されても、切替イベント検知部１２１が切替イベントを検知しなければ、機能・表示切替部１３０に、機能表示部１６０の表示を切り替えを指示しない。この場合、キー検知部１２０は、機能実行部１４０に、キー入力に割り当てられている機能を実行するよう指示する。
【０１２７】
一方、キー検知部１２０は、キートップ２１が押下されることにより、切替イベント検知部１２１が切替イベントを検知した場合には、機能・表示切替部１３０に、キー入力に割り当てられている機能と、機能表示部１６０の表示とを切り替えるよう指示する。
【０１２８】
機能・表示切替部１３０は、キートップ２１が備える機能表示部１６０の表示を切り替えるとともに、キーデバイス１におけるキー入力に割り当てられている機能を切り替えるものである。
【０１２９】
機能・表示切替部１３０は、表示切替部（表示切替手段）１３１と、機能切替部（切替指示手段）１３２とを備える。
【０１３０】
表示切替部１３１は、キートップ２１が備える機能表示部１６０の表示を切り替えるためのデータ信号を生成する。
【０１３１】
機能切替部１３２は、キーデバイス１におけるキー入力に対して割り当てることが可能な、複数の機能のうち、１つの機能を選択して、選択した機能を、キーデバイス１におけるキー入力に対して割り当てられた機能として機能設定記憶部７１に設定する。
【０１３２】
機能切替部１３２が、複数の機能のうち、１つの機能を選択する基準は任意である。機能切替部１３２は、例えば、各機能に選択番号を割り当てておき、選択番号の順に機能を選択してもよい。また、機能切替部１３２は、機能をランダムに選択してもよい。
【０１３３】
機能実行部１４０は、キーデバイス１におけるキー入力に割り当てられている機能を実行するものである。具体的には、機能実行部１４０は、キー検知部１２０から、機能実行の指示を受けると、機能設定記憶部７１から機能設定情報を読み出して、機能設定情報によって特定される機能を実行する。例えば機能実行部１４０は、インターネットブラウザアプリケーションや、電子メールアプリケーション等を実行可能である。また、カメラ部９０において、各種設定により撮像を行う機能を実行可能である。
【０１３４】
（キーデバイスの構造について）
次に、さらに図６および図７を用いて、キーデバイス１の構造についてより詳細に説明する。なお、図６および図７では、説明の便宜上、キートップ２１において、機能表示部１６０が設けられている側を、キートップ２１の上面とし、その反対側をキートップ２１の下面とする。つまりキートップ２１において、キー基板２２と対向する面が、キートップ２１の下面となる。
【０１３５】
［キートップが押下されていないとき］
まず、図６を用いて、キートップ２１が押下されていないときの、キーデバイス１の構造について詳細に説明する。
【０１３６】
図６に示すとおり、キートップ２１の下面には、端子部１７０が設けられている。図６に示す例では、キー接点部１７１と、入力端子１７２とは、共通化されている。ここで、キー接点部１７１と、入力端子１７２とを共通化した構成、または、キー接点部１１１と、出力端子１１２とを共通化した構成とは、例えば、入力端子１７２と、出力端子１１２とが接触したことを、キー入力として検知できるような構成のことを指す。
【０１３７】
一方、図６に示すとおり、キー基板２２の上面には、端子部１１０が設けられている。また、端子部１１０は、キー接点部１１１と、出力端子１１２とは、共通化されている。端子部１１０は、板ばね形状をしており、端子部１７０との接続に好適な構成になっている。
【０１３８】
キートップ２１と、キー基板２２との間は、軸受け１９５によって接続されており、これによりキートップ２１と、キー基板２２との間隙が維持されている。
【０１３９】
軸受け１９５の内部には、キー基板２２から、キートップ２１にかけて電力線１９１が通されており、これにより画素メモリ内蔵液晶パネル１６１への電力供給が実現されている。
【０１４０】
［キートップが押下されているとき］
続いて、図７を用いて、キートップ２１が押下されているときの、キーデバイス１の構造について詳細に説明する。
【０１４１】
図７に示すとおり、キートップ２１が押下されると、端子部１７０と、端子部１１０とが接触する。
【０１４２】
これにより、キー接点部１１１と、キー接点部１７１とが接触して、キー入力が検知されるとともに、出力端子１１２と、入力端子１７２とが接触して、表示切替部１３１がデータ信号を、キートップ２１に入力することができるようになる。
【０１４３】
すなわち、キーデバイス１では、キートップ２１が押下されると、端子部１７０と、端子部１１０とが接触することにより、キー接点部１７１と、キー接点部１１１とが接触する。これにより、キー検知部１２０において、キー入力が検知される。
【０１４４】
そして、キー検知部１２０において、キー入力が検知されると、切替イベント検知部１２１が、切替イベントを検知する。切替イベント検知部１２１が、切替イベントを検知すると、キー検知部１２０が、キー入力に割り当てられている機能と、機能表示部１６０の表示を切り替えるよう機能・表示切替部１３０に指示する。
【０１４５】
キー検知部１２０からの切替指示に応じて、機能切替部１３２が、キー入力に割り当てられている機能を切り替える。
【０１４６】
これに伴い、表示切替部１３１が、該機能に対応付けられている画像データを示すデータ信号を出力して、画素メモリ内蔵液晶パネル１６１が保持する画素値を書き換える。これにより、機能表示部１６０が表示する画像データが切り替わる。
【０１４７】
ここで、図１０を参照しながら、機能表示部１６０における画像データの表示の切替について詳細に説明すると次のとおりである。図１０は、機能表示部１６０における画像データの表示について例示する図であり、（ａ）は、機能表示部１６０において、インターネットブラウザアプリケーションを示す画像データ７３１を表示している状態を示し、（ｂ）は、機能表示部１６０において、電子メールアプリケーションを示す画像データ７３２を表示している状態を示している。
【０１４８】
まず、キー入力に割り当てられている機能が、インターネットブラウザアプリケーションである場合には、図１０の（ａ）に示すように機能表示部１６０では、図９の（ａ）で示した画像データ７３１を表示する。
【０１４９】
切替イベント検知部１２１が、切替イベントを検知すると、キー検知部１２０が、機能・表示切替部１３０に対して、キー入力に割り当てられている機能を切り替えるように指示する。
【０１５０】
キー検知部１２０からの指示に応じて機能切替部１３２が、キー入力に割り当てられている機能を、インターネットブラウザアプリケーションから、電子メールアプリケーションに切り替える。すなわち、機能切替部１３２が、機能設定情報を、電子メールアプリケーションを特定する情報に書き換えて、機能設定記憶部７１に保存する。
【０１５１】
その一方で、表示切替部１３１が、機能設定記憶部７１から機能設定情報を読み出し、機能テーブル７２を参照して、読み出した機能設定情報で特定される電子メールアプリケーションに対応する画像データを特定する。この場合、電子メールアプリケーションに対応する画像データは、画像データ７３２である。
【０１５２】
そして、表示データ記憶部７３に記憶されている画像データ７３２を読み出して、出力端子１１２から、画像データ７３２を示すデータ信号をキートップ２１の入力端子１７２に入力する。
【０１５３】
入力端子１７２に入力されたデータ信号により画素メモリ内蔵液晶パネル１６１が保持する画素値が書き換えられ、これにより、キートップ２１の機能表示部１６０の表示が、図１０の（ａ）に示すインターネットブラウザアプリケーションを示す画像データ７３１から、図１０の（ｂ）に示す電子メールアプリケーションを示す画像データ７３２に切り替わる。
【０１５４】
一方、切替イベント検知部１２１が、切替イベントを検知しなければ、機能実行部１４０が、検知されたキー入力に割り当てられている機能を実行する。
【０１５５】
〔構成例〕
次に、本発明に係るキーデバイス１の各部のより詳細な構成例について以下に、説明する。
【０１５６】
（回動機構を設ける場合の構成例）
まず、図１１〜１６を用いて、端子部１７０と、端子部１１０の変形例について説明する。図１１の（ａ）および（ｂ）は、それぞれ、表示データ記憶部７３が記憶する画像データの別の例について示す図である。図１２は、キートップ２１の機能表示部１６０の構成例の一形態を示す上面図である。図１３は、キートップ２１の入力端子１７２の構成例の一形態を示す図である。図１４は、キー基板２２の出力端子１１２の構成例を示す上面図である。図１５は、キートップ２１の機能表示部１６０の構成例の別の形態を示す上面図である。図１６は、キートップ２１の入力端子１７２の構成例の別の形態を示す図である。
【０１５７】
以下の変形例では、キートップ２１に回動機構を設け、回動機構の回動の度合いによって、キー入力に割り当てる機能を選択できるようにする構成例について説明する。また、以下の変形例では、キー入力に、図８に示したカメラ部９０の各種機能を割り当てる場合について示す。
【０１５８】
［カメラ部の機能と画像データとの対応について］
まず、カメラ部９０の機能について説明し、カメラ部９０の機能と、画像データとの対応について説明する。
【０１５９】
上述のとおり、カメラ部９０は、「シャッタースピード（ＳＳ）」と、「絞り」との設定を調節して撮影を行う機能を提供している。その具体的な内容は、次のとおりである。
【０１６０】
まず、カメラ部９０は、「シャッタースピード（ＳＳ）」が、“１／５００ｓ”であり、「絞り」が、“Ｆ４．３”の“通常モード”設定により撮像を行う機能を提供する。
【０１６１】
そして、カメラ部９０は、「シャッタースピード（ＳＳ）」が、“１／１０ｓ”であり、「絞り」が、“Ｆ２．８”の“夜景モード”設定により撮像を行う機能を提供する。
【０１６２】
このため、機能実行部１４０は、キー入力により、これらの機能を実行することができる。
【０１６３】
図１１の（ａ）は、撮像を行う機能が、“通常モード”設定となっていることを示す画像データ７３３を示しており、（ｂ）は、撮像を行う機能が、“夜景モード”設定となっていることを示す画像データ７３４を示している。
【０１６４】
画像データ７３３は、“通常モード”設定により撮像を行う機能の「ＳＳ」および「絞り」の各設定を示す文字情報を含んでいる。具体的には、画像データ７３３は、“ＳＳ：１／５００ｓ  絞り：Ｆ４．３  （通常モード）”という文字情報を含む。
【０１６５】
また、画像データ７３４は、夜景モード”設定により撮像を行う機能の「ＳＳ」および「絞り」の各設定を示す文字情報を含んでいる。具体的には、画像データ７３４は、“ＳＳ：１／１０ｓ  絞り：Ｆ２．８  （夜景モード）”という文字情報を含む。
【０１６６】
また、機能テーブル７２において、画像データ７３３は“通常モード”設定により撮像を行う機能に対応付けられており、画像データ７３４は、“夜景モード”設定により撮像を行う機能に対応付けられている。
【０１６７】
［キートップの構成］
図１２および図１５を用いて、キートップ２１の上面について説明する。図１２に示すように、キートップ２１の上面には、回動体（回動機構）１５０が設けられている。回動体１５０は、周囲を枠体１５１によって囲まれている。なお、キートップ２１は、回動体１５０のみにより構成してもかまわない。すなわち、キートップ２１のボタン形状を、上面からみて円形状に構成してもかまわない。
【０１６８】
図１２に示すように、回動体１５０は、矢印Ｒの向き、および、矢印Ｒと反対の向きに回動可能に構成されている。回動体１５０には、機能表示部１６０が備えられている。機能表示部１６０は、画像データ７３３を表示している。
【０１６９】
また、回動体１５０の外周付近には、回動体１５０の回動位置を確認するための三角形の目印１５２が付されている。図１２では、目印１５２は、回動体１５０の外周付近であって、機能表示部１６０から、矢印Ｘの向きに向かって少しずれた位置に付されている。
【０１７０】
図１２に示す状態から、回動体１５０を、矢印Ｒの向きに９０度回動させた状態が、図１５に示す状態である。同図では、目印１５２が、図１２に示す位置に対して、矢印Ｒの向きに９０度回動した位置にきており、これにより、回動体１５０が、図１２に示す状態から９０度回動したことが確認できる。
【０１７１】
また、図１５に示す機能表示部１６０は、画像データ７３４を表示している。この表示の詳細については後述する。
【０１７２】
図１３および図１６を用いて、キートップ２１の下面について説明する。以下において、キートップ２１の下面とは、キートップ２１において、キー基板２２と対向する面のことである。
【０１７３】
図１３に示すように、キートップ２１の下面において、端子部１７０が回動中心軸Ｐ１から、矢印Ｘの向きに、回動体１５０の外周にかけて設けられている。
【０１７４】
なお、端子部１７０において、キー接点部１７１と、入力端子１７２とは、共通化されているものとする。
【０１７５】
なお、本構成例では、回動中心軸Ｐ１において、図１を用いて説明した電力線１９１が通されていてもよい。
【０１７６】
図１３に示す状態から、回動体１５０を、矢印Ｒの向きに９０度回動させた状態が、図１６に示す状態である。
【０１７７】
［キー基盤の端子部の構成］
続いて、図１４を用いて、キー基板２２の構成について説明する。図１４は、本構成例に係るキーデバイスのキー基板２２の上面を示す上面図である。
【０１７８】
図１４に示すように、キー基板２２の上面には、端子を設置するための円形の端子設置領域（回動機構）１１５が設けられており、端子設置領域１１５において、４つの端子部１１０ａ、１１０ｂ、１１０ｃ、および１１０ｄが設けられている。
【０１７９】
４つの端子部１１０ａ、１１０ｂ、１１０ｃ、および１１０ｄは、それぞれ、キー接点部１１１および出力端子１１２が共通化されている。また、端子部１１０ａ、１１０ｂ、１１０ｃ、および１１０ｄは、それぞれ、キートップ２１側の端子部１７０と同じサイズに構成されている。
【０１８０】
端子部１１０ａは、回動中心軸Ｐ１から、矢印Ｘの向きに、端子設置領域１１５の外周にかけて設けられている。
【０１８１】
そして、端子部１１０ｂ、端子部１１０ｃ、および端子部１１０ｄは、それぞれ、端子部１１０ａを、矢印Ｒの向きに、９０度、１８０度、２７０度回転させた位置に設けられている。
【０１８２】
そして、キートップ２１の回動体１５０が回動して、図１３を用いて示したキートップ２１の端子部１７０が、４つの端子部１１０ａ、１１０ｂ、１１０ｃ、および１１０ｄのいずれか１つの上方に位置づけられたとき、キートップ２１を押下できる機構になっている。
【０１８３】
すなわち、キートップ２１が押下されたとき、端子部１７０が、４つの端子部１１０ａ、端子部１１０ｂ、端子部１１０ｃ、および端子部１１０ｄのいずれか１つと接触するような配置となっている。
【０１８４】
［端子部と、キー入力に割り当てることのできる機能の対応付けについて］
ここで、端子部と、キー入力に割り当てることのできる機能の対応付けについて説明すると次のとおりである。
【０１８５】
本構成例では、４つの端子部１１０ａ、１１０ｂ、１１０ｃ、および１１０ｄには、それぞれ、キー入力に対して割り当てることのできる機能が対応付けられている。この対応付けは、例えば、記憶部７０に記憶しておけばよい。
【０１８６】
［切替イベントについて］
次に、本構成例における、切替イベントについて説明する。
【０１８７】
この構成では、回動体１５０が回動された後、キートップ２１が押下されることにより、端子部１１０ａ、１１０ｂ、１１０ｃ、および１１０ｄのいずれか１つと、端子部１７０とが接触すると、切替イベントが発生する。
【０１８８】
その一方で、回動体１５０が回動されないで、キートップ２１が押下された場合は、キー入力に割り当てられている機能が実行される。
【０１８９】
また、この構成では、切替イベントが発生したことを、切替イベント検知部１２１が検知すると、機能切替部１３２が、キー入力に割り当てられている機能を、接触した端子部１１０に対応付けられている機能に切り替えるとともに、キートップ２１の機能表示部１６０の表示を切り替える。
【０１９０】
［具体的な動作例］
その具体例を示すと、次のとおりである。
【０１９１】
まず、端子部１１０ａには、“通常モード”設定により撮像を行う機能が対応付けられており、端子部１１０ｂには、“夜景モード”設定により撮像を行う機能が対応付けられているものとする。
【０１９２】
また、キートップ２１の端子部１７０は、端子部１１０ａの上方に位置づけられており、“通常モード”設定により撮像を行う機能が、キー入力に対して割り当てられているとする。このとき、回動体１５０の目印１５２は、回動中心軸Ｐ１からみて矢印Ｘの向きに位置づけられている。
【０１９３】
このような構成の場合、まず、図１２に示すように、機能表示部１６０は、“通常モード”設定により撮像を行う機能に対応付けられている画像データ７３３を表示する。また、キー入力に応じて、機能実行部１４０が、カメラ部９０において、“通常モード”設定により撮像を行う機能を実行する。
【０１９４】
ここで、ユーザが、図１２の状態から、回動体１５０を矢印Ｒの方向に９０度回動させた後、キートップ２１を押下すると、端子部１７０と端子部１１０ｂとが接触する。
【０１９５】
これにより切替イベントが発生すると、機能切替部１３２が、端子部１７０が接触した端子部１１０ｂに対応付けられている機能を、キーデバイス１のキー入力に割り当てる。
【０１９６】
すなわち、機能切替部１３２は、端子部１１０ｂに割り当てられている“夜景モード”設定により撮像を行う機能を、キーデバイス１のキー入力に割り当てる。また、これに伴い、表示切替部１３１は、機能表示部１６０に、“夜景モード”設定により撮像を行う機能に対応する画像データ７３４を表示させる。
【０１９７】
なお、機能表示部１６０に表示させる画像データ７３４は、回動体１５０が回動しても、矢印Ｘの向きが、文字の向きの上向きになるように適宜、回転処理を施してもよい。回転処理は、表示切替部１３１において施してもよいし、キートップ側で施してもよい。
【０１９８】
ここでさらに、キートップ２１が押下されると、機能実行部１４０が、カメラ部９０において、“夜景モード”設定により撮像を行う機能を実行する。
【０１９９】
以上の構成例によれば、ユーザは、回動体１５０を回動させることで、キー入力に割り当てる機能を、その回動の度合いに応じたものに、選択的に、切り替えることができる。これにより、キー入力に割り当てられている機能を、ユーザの所望の機能に、迅速に切り替えることができるという効果を奏する。
【０２００】
（回転ダイヤルを設ける場合の構成例）
次に、図１７および図１８を用いて、回転機構を場合の別の構成例について説明する。本構成例は、図１１〜１６を用いて示した「回転機構を設ける場合の構成例」の変形例であり、回動体１５０の代わりに、回転ダイヤルを設ける場合の例である。
【０２０１】
図１７は、キートップ２１の機能表示部１６０の一構成例の一形態について示す上面図である。図１８は、キートップ２１の機能表示部１６０の一構成例の別の形態について示す上面図である。
【０２０２】
[キートップについて]
図１７および図１８を用いて、キートップ２１の上面について説明すると次の通りである。図１７に示すように、キートップ２１の周囲には、円形のダイヤル１５４が設けられている。キートップ２１は、機能表示部１６０を備える。
【０２０３】
ダイヤル１５４は、矢印Ｒの向き、および、矢印Ｒと反対の向きに回動可能に構成されている。これに対して、機能表示部１６０は、回動しない。つまり、機能表示部１６０の外周に設けられているダイヤル１５４のみが回動可能となっている。ダイヤル１５４には、ダイヤル１５４の回動位置を確認するための三角形の目印１５３が付されている。図１７では、目印１５３は、ダイヤル１５４において、機能表示部１６０からみて、矢印X側となる位置に付されている。
【０２０４】
キートップ２１がユーザによって押下されることにより、キートップ２１がキー基板２２と接触するのは上述のとおりである。キートップ２１の下面には、図１３を用いて示した端子部１７０が設けられている。
【０２０５】
図１７に示す状態から、ダイヤル１５４を、矢印Ｒの向きに９０度回転させた状態が、図１８に示す状態である。図１８では目印１５３が、図１７に示す位置に対して、矢印Rの向きに９０度回動させた位置にきており、これによりダイヤル１５４が、図１７に示す状態から９０度回動したことが確認できる。
【０２０６】
また、図１７に示す機能表示部１６０は、画像データ７３３を表示しており、この時点で、キー入力に割り当てられている機能が、”通常モード”設定により撮像を行う機能であることを示している。一方、図１８に示す機能表示部１６０は、画像データ７３４を表示しており、この時点で、キー入力に割り当てられている機能が、”夜景モード”設定により撮像を行う機能であることを示している。
【０２０７】
[ダイヤルと、キー基板の動作について]
再び図１４を参照しながら、ダイヤル１５４の動作についてより詳細に説明すると次の通りである。
【０２０８】
キー基板２２の上面には、端子部１１０ａ〜１１０ｄが設けられており、キートップ２１が押下されることにより、キートップ２１の下面に設けられている端子部１７０と、端子部１７０の真下に位置づけられた端子部１１０ａ〜１１０ｄのいずれか１つが接触する。
【０２０９】
本構成例では、端子設置領域１１５が、矢印Ｒの向き、および、矢印Ｒと反対の向きに回動可能に構成されており、上述のダイヤル１５４の回動に連動して、端子設置領域１１５が回動するように構成されている。すなわち、ダイヤル１５４が、矢印Ｒの向きに９０度回動したとき、これに伴って端子設置領域１１５も矢印Ｒの向きに９０度回動するように構成されている。
【０２１０】
また、ダイヤル１５４を回動させた後、キートップ２１が押下されることにより、キートップ２１の端子部１７０と、キー基板２２の端子部１１０が接触することにより、切替イベントが発生する。さらに、ダイヤル１５４を回動させないで、キートップ２１が押下されて、キートップ２１の端子部１７０と、キー基板２２の端子部１１０が接触すると、機能実行部１４０によって、キー入力に割り当てられている機能が実行される。
【０２１１】
［具体的な動作例］
図１７に示す状態の場合、キー基板２２の端子部１１０ａが、端子部１７０の真下に位置づけられる。よって、キートップ２１が押下されると、キートップ２１の端子部１７０と、キー基板２２の端子部１１０ａとが接触する。
【０２１２】
また、図１８に示す状態の場合、キー基板２２の端子部１１０ｄが、端子部１７０の真下に位置づけられる。よって、キートップ２１が押下されると、キートップ２１の端子部１７０と、キー基板２２の端子部１１０ｄとが接触する。
【０２１３】
これにより、キー入力に割り当てられている機能および機能表示部１６０の表示が切り替わるが、その具体的な動作については、「回転機構を設ける場合の構成例」で示したものと同様であるので、その説明を省略する。
【０２１４】
（キートップおよびキー基盤の構造に関する構成例）
次に、図１９を用いて、キートップ２１およびキー基板２２の構造に関する構成例について説明する。図１９は、キーデバイス１の構造について示した模式的断面図である。以下の構成例は、各端子部を防塵カバーにより塵や埃から保護する例である。
【０２１５】
まず、図１９を参照しながら、キー基板２２の構成について説明する。キー基板２２の上面には、モールドパネル２３０が設けられており、キー基板の上面を覆っている。また、モールドパネル２３０には、キートップ２１を案内するためのガイド２４０が突設されている。そして、ガイド２４０の先端部分には、端子部１１０が設けられている。なお、端子部１１０において、キー接点部１１１と、出力端子１１２とは共通化されている。
【０２１６】
続いて、図１９を参照しながら、キートップ２１の構成について説明する。同図に示すように、キートップ２１の上面には、機能表示部１６０が設けられている。
【０２１７】
そして、キートップ２１の下面には、スライダー２１０が設けられており、スライダー２１０は、キー基板２２のガイド２４０に従って摺動可能なようになっている。また、スライダー２１０には、端子部１７０が設けられている。なお、端子部１７０において、キー接点部１７１と、入力端子１７２とは共通化されている。
【０２１８】
そして、キートップ２１が押下されると、キー基板２２の端子部１１０と、端子部１７０が接触する。
【０２１９】
また、スライダー２１０には、バネ部１９２が設けられている。バネ部１９２は、キートップ２１が押下されていない状態において、キートップ２１を所定位置に支持する一方で、キートップ２１が押下された後、解放されたときには、弾性力により、キートップ２１を所定位置に復帰させる。また、バネ部１９２は、導電性部材により構成されており、キートップ２１は、バネ部１９２を介して、キー基板２２から電源供給を受けることができる。
【０２２０】
そして、キートップ２１と、キー基板２２の間にある間隙には、防塵カバー２２０が設けられ、キートップ２１と、キー基板２２との間に塵が入り込まないようになっている。これにより、埃・塵などによって、端子部１７０と、端子部１１０との接触不良が発生するのを抑制することができる。
【０２２１】
（配線に関する構成例）
次に、図２０および図２１を用いて、画素メモリ内蔵液晶パネル１６１と、端子部１７０との間の配線の一構成例を示すと共に、その動作について示す。
【０２２２】
まず、図２０を用いて、画素メモリ内蔵液晶パネル１６１と、端子部１７０との間の配線の構成例について示す。図２０は、画素メモリ内蔵液晶パネル１６１と、端子部１７０との間の配線の構成例について示す配線図である。
【０２２３】
図２０に示すとおり、画素メモリ内蔵液晶パネル１６１は、ＬＣＤ（Liquid Crystal Display）１６２と、セグメントドライバ１６３ａ、１６３ｂと、コモンドライバ１６４とを備える構成である。
【０２２４】
セグメントドライバ１６３ａ、１６３ｂは、ＬＣＤ１６２の垂直方向のライン制御を行い、コモンドライバ１６４は、ＬＣＤ１６２の水平方向のライン制御を行う。
【０２２５】
本構成例では、ＬＣＤ１６２は、１２８×１２８の画素を有しているものとする。すなわち、セグメントドライバ１６３ａ、１６３ｂは、それぞれ、６４本のラインを有しており、セグメントドライバ１６３ａ、１６３ｂのラインの合計が、１２８本となっている。また、コモンドライバ１６４は、１２８本のラインを有している。
【０２２６】
セグメントドライバ１６３ａ、１６３ｂおよび端子部１７０は、ＣＰ信号線、Ｌｏａｄ信号線、およびＤ０〜Ｄ３信号線により接続されている。Ｄ０〜Ｄ３信号線は、４ｂｉｔ幅のデータ入力線である。
【０２２７】
そして、セグメントドライバ１６３ａ、１６３ｂ間は、制御線１６５によって接続されている。そして、制御線１６５において、セグメントドライバ１６３ａ側の接続部分には、クロックデータ出力端子（ＣＤＯ）が設けられており、また、セグメントドライバ１６３ｂ側の接続部分に、クロックデータ入力端子（ＣＤＩ）が設けられている。
【０２２８】
なお、セグメントドライバ１６３ａ、１６３ｂは、それぞれ内部に６４ｂｉｔのデータを保持しておくためのデータラッチ回路（不図示）を備えている。
【０２２９】
また、コモンドライバ１６４および端子部１７０は、Ｌｏａｄ信号線により接続されている。
【０２３０】
次に、図２１を用いて、図２０に示す画素メモリ内蔵液晶パネル１６１の動作について示す。図２１は、図２０に示す画素メモリ内蔵液晶パネル１６１の動作信号を示すタイミングチャートである。
【０２３１】
セグメントドライバ１６３ａ、１６３ｂのセグメントラインは合計１２８本であるので、コモンドライバ１６４の１ラインには、１２８ｂｉｔのデータが入力される。
【０２３２】
本構成例では、１２８ｂｉｔ分のデータＸ１〜Ｘ１２８を、４ｂｉｔ幅のデータ入力線によってセグメントドライバ１６３ａ、１６３ｂに取り込み、各セグメントラインに入力する。
【０２３３】
ＣＰ信号の立ち下がりエッジで、４ｂｉｔずつ、セグメントドライバ１６３ａ、１６３ｂに、データが取り込まれる。ここで、データの取り込みは、まずセグメントドライバ１６３ａから行われる。１ｂｉｔ目から、順に、６４ｂｉｔ分のデータが、セグメントドライバ１６３ａに取り込まれると、続いて、セグメントドライバ１６３ｂに、６５ｂｉｔ目から、順に、１２８ｂｉｔ目まで取り込まれていく。
【０２３４】
図２１を用いて、具体的に説明すると、１回目の立ち下がりエッジＣＰ１で、セグメントドライバ１６３ａが、４ｂｉｔのデータＸ１〜Ｘ４を取り込んで、取り込んだデータを内部のデータラッチ回路に保持する。そして、次のエッジＣＰ２で、セグメントドライバ１６３ａは、さらに４ｂｉｔのデータＸ５〜Ｘ８を、取り込んで、データラッチ回路に保持する。
【０２３５】
以下、同様に、セグメントドライバ１６３ａは、１６回目の立ち下がりエッジＣＰ１６（不図示）まで、４ｂｉｔずつ、データＸ６４まで取り込んでいく。
【０２３６】
そして、セグメントドライバ１６３ａがデータＸ１〜Ｘ６４まで取り込むと、ＣＤＯから出力する信号を、ＨｉｇｈからＬｏｗにする。これに伴い、ＣＤＩに入力される信号がＬｏｗになる。ＣＤＩに入力される信号がＬｏｗになると、セグメントドライバ１６３ｂが、データの取り込みを開始する。
【０２３７】
その後、セグメントドライバ１６３ｂが、ＣＰ信号に従って、データＸ６５から、順次、データを取り込んで、取り込んだデータ信号をデータラッチ回路に保持していく。
【０２３８】
３２回目の立ち下がりエッジＣＰ３２で、セグメントドライバ１６３ｂによって、データＸ１２８まで取り込まれると、全セグメントライン数分のデータが取り込まれたことになる。
【０２３９】
ここで、Ｌｏａｄ信号が、Ｈｉｇｈとなり、セグメントドライバ１６３ａ、１６３ｂは、それぞれ、セグメントラインに対して、データラッチ回路に保持しているデータを出力する。これにより、コモンドライバ１６４の１ライン分のデータが画素メモリに書き込まれる。
【０２４０】
これら一連のデータ入力を、コモンドライバ１６４のライン数分、すなわち１２８回繰り返すことで、１画面分の画素データの書き込みが完了する。
【０２４１】
本構成例は、次の点で有用である。
【０２４２】
すなわち、キートップ２１は、ユーザが、入力するのに適した形状・大きさであることが望ましく、また、携帯端末機１０に搭載するうえでもサイズの制約がある。このような制約の下、画素メモリ内蔵液晶パネル１６１と、入力端子１７２との間の配線を行うことになる。
【０２４３】
例えば、１２８×１２８の各画素を端子部１７０と直結して、画素メモリ内蔵液晶パネル１６１を構成する画素を個別に駆動させるのは、上記制約の下、現実的ではない。
【０２４４】
以上のような構成により、各画素と、端子部１７０とを直結させる場合よりも、信号線の本数を減らすことができ、配線が簡素化できる。これにより、上記制約の下でも、現実的な配線を実現することができる。
【０２４５】
なお、本構成例では、２つのセグメントドライバ１６３ａ、１６３ｂによる構成を示したが、１つのセグメントドライバにより回路を実現してもかまわない。
【０２４６】
（作用・効果）
以上のように、本実施形態に係るキーデバイス１は、キー基板２２と、キー基板２２に設置されたキートップ２１と、キートップ２１が押下されたとき、キー入力を検知するキー検知部１２０と、キートップ２１に設けられた、表示を行う機能表示部１６０と、を備えるキーデバイスにおいて、機能表示部１６０は、機能表示部１６０が表示を行うための画素値を保持する画素メモリ内蔵液晶パネル１６１を備え、キー基板２２は、機能表示部１６０の表示を切り替えるためのデータ信号を出力するための出力端子１１２を備え、キートップ２１は、キートップ２１が押下されていないとき、出力端子１１２とは離間する一方で、キートップ２１が押下されたとき、出力端子１１２と電気的に接続される、データ信号を入力するための入力端子１７２を備え、キー検知部１２０がキー入力を検知したとき、出力端子１１２と電気的に接続されている入力端子１７２にデータ信号を入力して、画素メモリ内蔵液晶パネル１６１が備えるデジタルメモリ素子６１８が保持している画素値を書き換えて機能表示部１６０の表示を切り替えるよう制御する表示切替部１３３を備える構成である。
【０２４７】
この結果、デジタルメモリ素子６１８が保持している画素値を書き換えて機能表示部１６０の表示を切り替えることができる。
【０２４８】
従って、キートップ２１が押下されれば、機能表示部１６０の表示を切り替えることができ、かつキートップ２１が押下されていない状態において、キートップ２１と、キー基板２２とを、機能表示部１６０の表示をリフレッシュするための配線によって接続しておかなくても済む。
【０２４９】
これによりキートップ２１と、キー基板２２との間の配線を簡素化することができるとともに、信頼性が向上させることができるという効果を奏することができる。さらには、機能表示部１６０の表示をリフレッシュするための電力消費を低減できる。
【０２５０】
〔実施形態２〕
本発明に係るキーデバイスの他の実施形態について図２２〜図２５に基づいて説明すれば以下のとおりである。
【０２５１】
（キーデバイスの構成について）
まず、図２２を用いて、本実施形態に係るキーデバイス１００について説明する。なお、説明の便宜上、上記実施形態１にて説明した図面と同じ機能を有する部材については、同じ符号を付記し、その説明を省略する。
【０２５２】
上記実施形態に係るキーデバイス１と、本実施形態に係るキーデバイス１００との違いは、キー基板２２の出力端子１１２から、キートップ２１の入力端子１７２に対して、データ信号ではなく、反転信号（表示切替信号）を送出する点にある。
【０２５３】
すなわち、図２２に示す表示切替部１３３は、切替イベントの発生を検知すると、反転信号を生成し、生成した反転信号を、出力端子１１２を介して、キートップ２１の入力端子１７２に送出する。
【０２５４】
そして、機能表示部１６０が備える画素メモリ内蔵液晶パネル１６１Ａは、キー基板２２から送出された反転信号に従って、保持している画素値を反転させて、機能表示部１６０に表示する。
【０２５５】
（画素メモリ内蔵液晶パネルの回路構成について）
次に、図２３を用いて、画素メモリ内蔵液晶パネル１６１Ａの回路構成について説明する。図２３は、画素メモリ内蔵液晶パネル１６１Ａの別の構成例を示す回路図である。
【０２５６】
以下に示す構成例は、画素メモリ内蔵液晶パネル１６１が保持する画素値を反転させることにより、機能表示部１６０の表示を切り替えるためのものである。
【０２５７】
なお、同図において、図２で示した画素メモリ内蔵液晶パネル１６１と同様の構成には同一の参照番号を付し、その説明を省略する。
【０２５８】
図示のように、画素メモリ内蔵液晶パネル１６１Ａは、図２に示した画素メモリ内蔵液晶パネル１６１の構成に加えて、ＥｘＯＲ回路７００、抵抗７１０、および接続線７２０を備えている。
【０２５９】
接続線７２０は、接続部７３０と接続されている。本構成例では、接続部７３０は、キートップ２１において、端子部１７０と接続されており、キー基板２２の端子部１１０と接触することに、表示切替部１３３からの反転信号の入力を受ける。また、接続部７３０には、信号入力をＯＮ／ＯＦＦするためのスイッチ７４０が設けられており、反転信号の入力によりスイッチ７４０のＯＮ／ＯＦＦを切り替える。
【０２６０】
接続部７３０から伸びる接続線７２０は分岐して、一方は、抵抗７１０を介してＧＮＤに接続しており、他方は、ＥｘＯＲ回路７００の入力に接続している。
【０２６１】
つまり、ＥｘＯＲ回路７００は、デジタルメモリ素子６１８の出力と、接続線７２０の出力とを入力としている。
【０２６２】
スイッチ７４０がＯＮになれば、接続部７３０から、ＥｘＯＲ回路７００に電源が供給され、接続線７２０からＥｘＯＲ回路７００への入力は「ＯＮ」になる。
【０２６３】
このため、デジタルメモリ素子６１８の入力が「ＯＮ」であれば、ＥｘＯＲ回路７００の出力は、「ＯＦＦ」になる。よって、このとき、液晶セル６１４は、非アクティブとなり表示を行わない。
【０２６４】
一方、デジタルメモリ素子６１８の入力が「ＯＦＦ」であれば、ＥｘＯＲ回路７００の出力は、「ＯＮ」になる、よって、このとき、液晶セル６１４は、アクティブとなり、デジタルメモリ素子６１８が供給する電位に応じて表示を行うことができる。
【０２６５】
これに対して、スイッチ７４０がＯＦＦになれば、接続部７３０から、ＥｘＯＲ回路７００への信号入力は遮断され、接続線７２０からＥｘＯＲ回路７００への入力は「ＯＦＦ」になる。
【０２６６】
このため、デジタルメモリ素子６１８の入力が「ＯＮ」であれば、ＥｘＯＲ回路７００の出力は、「ＯＮ」になる。よって、このとき、液晶セル６１４は、アクティブとなり、デジタルメモリ素子６１８が供給する電位に応じて表示を行うことができる。
【０２６７】
一方、デジタルメモリ素子６１８の入力が「ＯＦＦ」であれば、ＥｘＯＲ回路７００の出力は、「ＯＦＦ」になる、よって、このとき、液晶セル６１４は、非アクティブとなり表示を行わない。
【０２６８】
この結果、スイッチ７４０のＯＮ／ＯＦＦの前後において、デジタルメモリ素子６１８に保持されている画素値を書き換えることなく、メモリ内蔵液晶パネル１６１Ａの表示を反転させることができる。
【０２６９】
（機能表示部の表示について）
図２４を用いて、スイッチ７４０のＯＮ／ＯＦＦの前後において、機能表示部１６０の表示がどのように切り替わるかについて説明すると次のとおりである。なお、キー入力に割り当てられた機能の切り替えについては、すでに説明した構成を適宜採用可能であるので、その説明を省略する。
【０２７０】
図２４は、機能表示部１６０に表示する画像データの一例を示す図であり、（ａ）は、スイッチ７４０がＯＦＦである状態の表示を示し、（ｂ）は、スイッチ７４０がＯＮである状態の表示を示す。
【０２７１】
画素メモリ内蔵液晶パネル１６１Ａのデジタルメモリ素子６１８には、図２４の（ａ）に示すような、円の内部が塗りつぶされた模様を示す表示７３５ａを表示するための画素値が記憶されているものとする。より詳細には、デジタルメモリ素子６１８において、円の内部として、画素値「１」が保持されており、円の外部として、画素値「０」が保持されている。このような画素値により、円の内部が塗りつぶされた模様を表現することができる。
【０２７２】
図２４の（ａ）の表示７３５ａに示すように、スイッチ７４０がＯＦＦの状態では、機能表示部１６０は、デジタルメモリ素子６１８は、画素値をそのまま表示するので円の内部が塗りつぶされた模様をそのまま表示する。すなわち、機能表示部１６０は、デジタルメモリ素子６１８に保持された画素値をそのまま表示する。
【０２７３】
一方、表示切替部１３３から出力端子１１２を介して、入力端子１７２に反転信号が入力されると、スイッチ７４０がＯＮの状態になる。これにより、機能表示部１６０では、図２４の（ｂ）の表示７３５ｂに示すように、デジタルメモリ素子６１８に保持された画素値を反転させて表示する。
【０２７４】
具体的には、画素値が「１」である円の内部の部分は、画素値が「０」に反転され、画素値が「０」である円の外部の部分は、画素値が「１」に反転されて機能表示部１６０に表示される。これにより、機能表示部１６０では、円の外部が塗りつぶされた表示７３５ｂを行う。
【０２７５】
（作用・効果）
以上のように、本実施形態に係るキーデバイス１は、キー基板２２と、キー基板２２に設置されたキートップ２１と、キートップ２１が押下されたとき、キー入力を検知するキー検知部１２０と、キートップ２１に設けられた、表示を行う機能表示部１６０と、を備えるキーデバイスにおいて、機能表示部１６０は、機能表示部１６０が表示を行うための画素値を保持する画素メモリ内蔵液晶パネル１６１Ａを備え、キー基板２２は、機能表示部１６０の表示を切り替えるための反転信号を出力するための出力端子１１２を備え、キートップ２１は、キートップ２１が押下されていないとき、出力端子１１２とは離間する一方で、キートップ２１が押下されたとき、出力端子１１２と電気的に接続される、反転信号を入力するための入力端子１７２を備え、キー検知部１２０がキー入力を検知したとき、出力端子１１２と電気的に接続されている入力端子１７２に反転信号を入力して、画素メモリ内蔵液晶パネル１６１Ａが有するデジタルメモリ素子６１８が保持している画素値を反転させて、機能表示部１６０の表示を切り替えるよう制御する表示切替部１３３を備える構成である。
【０２７６】
この結果、デジタルメモリ素子６１８が保持している画素値を反転させて機能表示部１６０の表示を切り替えることができる。
【０２７７】
従って、キートップ２１が押下されれば、機能表示部１６０の表示を切り替えることができ、かつキートップ２１が押下されていない状態において、キートップ２１と、キー基板２２とを、機能表示部１６０の表示をリフレッシュするための配線によって接続しておかなくても済む。
【０２７８】
これによりキートップ２１と、キー基板２２との間の配線を簡素化することができるとともに、信頼性が向上させることができるという効果を奏することができる。さらには、機能表示部１６０の表示をリフレッシュするための電力消費を低減できる。
【０２７９】
（その他の構成例）
次に、図２５を用いて、画素メモリ内蔵液晶パネル１６１Ａの他の回路構成について説明する。図２５は、画素メモリ内蔵液晶パネル１６１Ａの他の構成例を示す回路図である。
【０２８０】
以下に示す構成例は、機能表示部１６０の表示のオン・オフを切り替えるためのものである。
【０２８１】
なお、同図において、図２で示した画素メモリ内蔵液晶パネル１６１と同様の構成には同一の参照番号を付し、その説明を省略する。
【０２８２】
図示のように、画素メモリ内蔵液晶パネル１６１Ａは、図２に示した画素メモリ内蔵液晶パネル１６１の構成に加えて、ＡＮＤ回路８００、抵抗７１０、および接続線７２０を備えている。
【０２８３】
接続線７２０は、接続部７３０と接続されている。本構成例では、接続部７３０は、キートップ２１において、端子部１７０と接続されており、キー基板２２の端子部１１０と接触することに、表示切替部１３３からの反転信号の入力を受ける。また、接続部７３０には、信号入力をＯＮ／ＯＦＦするためのスイッチ７４０が設けられており、反転信号の入力によりスイッチ７４０のＯＮ／ＯＦＦを切り替える。
【０２８４】
接続部７３０から伸びる接続線７２０は分岐して、一方は、抵抗７１０を介してＧＮＤに接続しており、他方は、ＡＮＤ回路８００の入力に接続している。
【０２８５】
つまり、ＡＮＤ回路８００は、デジタルメモリ素子６１８の出力と、接続線７２０の出力とを入力としている。
【０２８６】
よって、スイッチ７４０がＯＮになれば、接続部７３０から、ＡＮＤ回路８００に電源が供給され、接続線７２０からＡＮＤ回路８００への入力は「ＯＮ」になる。このため、デジタルメモリ素子６１８の入力が「ＯＮ」であれば、ＡＮＤ回路８００の出力は、「ＯＮ」になる。このため、液晶セル６１４は、アクティブとなり、デジタルメモリ素子６１８が供給する電位に応じて表示を行うことができる。
【０２８７】
一方、スイッチ７４０がＯＦＦになれば、接続部７３０から、ＡＮＤ回路８００への信号入力は遮断され、接続線７２０からＡＮＤ回路８００への入力は「ＯＦＦ」になる。このため、ＡＮＤ回路８００の出力は、デジタルメモリ素子６１８が供給する電位に関わらず、液晶セル６１４は、非アクティブとなり表示を行わない。
【０２８８】
この結果、デジタルメモリ素子６１８が保持する画像値は、スイッチ７４０がＯＦＦになれば、画素メモリ内蔵液晶パネル１６１Ａにおいて表示されないが、スイッチ７４０がＯＮになれば、デジタルメモリ素子６１８に保持されている画素値を書き換えることなく、画素メモリ内蔵液晶パネル１６１Ａにおいて表示することができる。
【０２８９】
〔結び〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０２９０】
最後に、キーデバイス１の各ブロック、特にキー検知部１２０と、機能・表示切替部１３０と、機能実行部１４０とは、ハードウェアロジックによって構成してもよいし、次のようにＣＰＵを用いてソフトウェアによって実現してもよい。
【０２９１】
すなわち、キーデバイス１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるキーデバイス１の制御プログラムのプログラムコード（実行形式プログラム、中間コードプログラム、ソースプログラム）をコンピュータで読み取り可能に記録した記録媒体を、上記キーデバイス１に供給し、そのコンピュータ（またはＣＰＵやＭＰＵ）が記録媒体に記録されているプログラムコードを読み出し実行することによっても、達成可能である。
【０２９２】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２９３】
また、キーデバイス１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０２９４】
本発明は、キートップに表示部を備えるキーデバイスにおいて、キートップと、キー基板との間の配線を簡素化することができる。このため、キーデバイスを用いる携帯端末機や、キーボード装置などに好適に適用可能である。
【符号の説明】
【０２９５】
１、１００    キーデバイス
１０    携帯端末機
２１    キートップ
２２    キー基板
７０    記憶部
７１    機能設定記憶部
７２    機能テーブル
７３    表示データ記憶部
８０    制御部
１１０    端子部
１１０ａ〜ｄ    端子部
１１１    キー接点部（キー接点）
１１２    出力端子
１１５    端子設置領域（回動機構）
１２０    キー検知部（入力検知手段）
１２１    切替イベント検知部（切替イベント検知手段）
１３０    機能・表示切替部（表示切替手段、切替指示手段）
１３１、１３３  表示切替部（表示切替手段）
１３２    機能切替部（切替指示手段）
１４０    機能実行部
１５０    回動体（回動機構）
１５４    ダイヤル
１６０    機能表示部（表示部）
１６１、１６１Ａ  画素メモリ内蔵液晶パネル（画素値保持手段）
１７０    端子部
１７１    キー接点部（キー接点）
１７２    入力端子
１９０    電源供給部
６１１    画素部スイッチ素子
６１２    デジタルメモリ素子
６１４    液晶セル
６１５    付加回路
６１６    交流駆動用クロック
６１８    デジタルメモリ素子（画素値保持手段）
７００    ＥｘＯＲ回路
７２０    接続線
７３０    接続部
７３１、７３２、７３４、７３５    画像データ
７４０    スイッチ
８００    ＡＮＤ回路
【図１】
2011086057.tif 000003
【図２】
2011086057.tif 000004
【図３】
2011086057.tif 000005
【図４】
2011086057.tif 000006
【図５】
2011086057.tif 000007
【図６】
2011086057.tif 000008
【図７】
2011086057.tif 000009
【図８】
2011086057.tif 000010
【図９】
2011086057.tif 000011
【図１０】
2011086057.tif 000012
【図１１】
2011086057.tif 000013
【図１２】
2011086057.tif 000014
【図１３】
2011086057.tif 000015
【図１４】
2011086057.tif 000016
【図１５】
2011086057.tif 000017
【図１６】
2011086057.tif 000018
【図１７】
2011086057.tif 000019
【図１８】
2011086057.tif 000020
【図１９】
2011086057.tif 000021
【図２０】
2011086057.tif 000022
【図２１】
2011086057.tif 000023
【図２２】
2011086057.tif 000024
【図２３】
2011086057.tif 000025
【図２４】
2011086057.tif 000026
【図２５】
2011086057.tif 000027